(57)【要約】      （修正有）【課題】中空糸膜モジュール全体を製造し直すことなく、容器における開口部の種々異なる仕様に対応可能な中空糸膜モジュールを提供する。【解決手段】中空糸膜モジュール１は、ケース１０と、中空糸膜２０と、封止部３０と、キャップ部４０とを備えている。キャップ部４０とケース１０との間には環状のＯリング５０が嵌着されている。キャップ部４０とケース１０とには互いに係合する環状の係合部６０が形成されており、係合部６０は、キャップ部４０及びケース１０の一方に形成されて他方に向かって突出する突出部と、キャップ部及びケースの他方に形成されて一方から離れる方向に凹み、突出部を収容する収容部とを有している。【選択図】図１
0003221241.tif 000002
【実用新案登録請求の範囲】
【請求項１】
少なくとも１つの流入口及び少なくとも１つの流出口を有するケースと、
前記ケースの内部に配設されており、両端が前記ケースの流出口を介して前記ケースの外部に連通する複数の中空糸膜と、
前記中空糸膜の両端が前記ケースの外部と連通するように前記ケースの流出口を封止する封止部と、
液体を収容可能な容器の開口部に取り付け可能な取付部を有し、前記ケースが着脱可能に挿入されるキャップ部とを備えており、
前記キャップ部と前記ケースとの間には環状のＯリングが嵌着されており、
前記キャップ部と前記ケースとには互いに係合する環状の係合部が形成されており、前記係合部は、前記キャップ部及び前記ケースの一方に形成されて前記キャップ部及び前記ケースの他方に向かって突出する突出部と、前記キャップ部及び前記ケースの他方に形成されて前記キャップ部及び前記ケースの一方から離れる方向に凹み、前記突出部を収容する収容部とを有していることを特徴とする中空糸膜モジュール。
【請求項２】
前記係合部の突出部は、前記キャップ部に形成されて前記ケースに向かって突出しており、前記係合部の収容部は、前記ケースに形成されて前記キャップ部から離れる方向に凹んでいることを特徴とする請求項１記載の中空糸膜モジュール。
【請求項３】
前記係合部は、前記キャップ部の取付部と前記Ｏリングとの間に設けられており、
前記Ｏリングは、前記係合部に対し、前記ケースの流出口の側に設けられていることを特徴とする請求項１又は２記載の中空糸膜モジュール。
【請求項４】
前記封止部は、前記ケースの流出口において、前記ケースの端部と面一となるように前記ケースの内部に配設されていることを特徴とする請求項１から３までのいずれか１項記載の中空糸膜モジュール。
【請求項５】
前記ケースは、前記キャップ部の取付部よりも、前記ケースの流出口から離れた位置まで延びていることを特徴とする請求項１から４までのいずれか１項記載の中空糸膜モジュール。
【請求項６】
前記流入口は、前記キャップ部の取付部よりも、前記ケースの流出口から離れた位置に設けられていることを特徴とする請求項１から５までのいずれか１項記載の中空糸膜モジュール。
【請求項７】
前記ケースは、前記Ｏリングよりも前記ケースの流出口の側に設けられた、前記ケースの内部と外部とを貫通する内周側弁開口を有しており、
前記キャップ部は、前記内周側弁開口と連通し、前記キャップ部の内部と外部とを貫通する外周側弁開口を有しており、
前記ケースの内周側弁開口には、逆止弁が取り付けられており、
前記逆止弁は、前記ケースの内部から前記ケースに接触して前記内周側弁開口を閉鎖する内部側弁体と、前記ケースの外部から前記ケースに接触して前記内周側弁開口の少なくとも一部を開放する外部側弁体とを有していることを特徴とする請求項１から６までのいずれか１項記載の中空糸膜モジュール。
【考案の詳細な説明】
【技術分野】
【０００１】
本考案は、中空糸膜モジュールに関し、特に、飲料用の容器の飲み口として取り付けられて飲料を浄化する中空糸膜モジュールに関する。
【背景技術】
【０００２】
従来から、水等の飲料や他の液体を浄化（ろ過）するための中空糸膜を備える中空糸膜モジュールが知られている。中空糸膜モジュールは、飲料等の液体が収容される容器の開口部に取り付けられ、容器内の液体を開口部を介して流出させる際に、中空糸膜を介して流出される液体を浄化する。
【０００３】
図５は、従来の中空糸膜モジュールの概略構成を示すための断面図である。図５に示すように、従来の中空糸膜モジュール１００は、液体を収容可能な図示しない容器の開口部と螺合可能にするねじ山１１１を有するキャップ部１１０と、複数の中空糸膜１２１を収容するケース１２２を有するモジュール部１２０とを備えている。従来の中空糸膜モジュール１００においては、キャップ部１１０とモジュール部１２０とが一体に形成されている。中空糸膜モジュール１００は、モジュール部１２０に形成された流入部１２３を介して図示しない容器内に連通しており、容器内に収容された液体が中空糸膜１２１を介して、蓋部１３０に形成された流出口１３１から流出可能となっている。
【考案の概要】
【考案が解決しようとする課題】
【０００４】
中空糸膜モジュール１００が取り付けられる容器は、容器が使用される国や容器の製造元により異なり、容器に応じて異なるねじ山１１１を有する異なる仕様の中空糸膜モジュール１００が存在することになる。このため、開口部の仕様が異なる容器に使用される場合、モジュール部１２０の仕様を変更する必要がない場合でも、中空糸膜モジュール１００全体を製造し直す必要がある。このため、従来の中空糸膜モジュール１００に対しては、中空糸膜モジュール１００全体を製造し直すことなく、中空糸膜モジュール１００が取り付けられる容器における開口部の種々異なる仕様に対応可能な構成が求められている。
【０００５】
本考案は、上述の課題に鑑みてなされたものであり、その目的は、中空糸膜モジュール全体を製造し直すことなく、容器における開口部の種々異なる仕様に対応可能な中空糸膜モジュールを提供することである。
【課題を解決するための手段】
【０００６】
上記目的を達成するために、本考案に係る中空糸膜モジュールは、少なくとも１つの流入口及び少なくとも１つの流出口を有するケースと、前記ケースの内部に配設されており、両端が前記ケースの流出口を介して前記ケースの外部に連通する複数の中空糸膜と、前記中空糸膜の両端が前記ケースの外部と連通するように前記ケースの流出口を封止する封止部と、液体を収容可能な容器の開口部に取り付け可能な取付部を有し、前記ケースが着脱可能に挿入されるキャップ部とを備えており、前記キャップ部と前記ケースとの間には環状のＯリングが嵌着されており、前記キャップ部と前記ケースとには互いに係合する環状の係合部が形成されており、前記係合部は、前記キャップ部及び前記ケースの一方に形成されて前記キャップ部及び前記ケースの他方に向かって突出する突出部と、前記キャップ部及び前記ケースの他方に形成されて前記キャップ部及び前記ケースの一方から離れる方向に凹み、前記突出部を収容する収容部とを有している。
【０００７】
本考案の一態様に係る中空糸膜モジュールにおいて、前記係合部の突出部は、前記キャップ部に形成されて前記ケースに向かって突出しており、前記係合部の収容部は、前記ケースに形成されて前記キャップ部から離れる方向に凹んでいる。
【０００８】
本考案の一態様に係る中空糸膜モジュールにおいて、前記係合部は、前記キャップ部の取付部と前記Ｏリングとの間に設けられており、前記Ｏリングは、前記係合部に対し、前記ケースの流出口の側に設けられている。
【０００９】
本考案の一態様に係る中空糸膜モジュールにおいて、前記封止部は、前記ケースの流出口において、前記ケースの端部と面一となるように前記ケースの内部に配設されている。
【００１０】
本考案の一態様に係る中空糸膜モジュールにおいて、前記ケースは、前記キャップ部の取付部よりも、前記ケースの流出口から離れた位置まで延びている。
【００１１】
本考案の一態様に係る中空糸膜モジュールにおいて、前記流入口は、前記キャップ部の取付部よりも、前記ケースの流出口から離れた位置に設けられている。
【００１２】
本考案の一態様に係る中空糸膜モジュールにおいて、前記ケースは、前記Ｏリングよりも前記ケースの流出口の側に設けられた、前記ケースの内部と外部とを貫通する内周側弁開口を有しており、前記キャップ部は、前記内周側弁開口と連通し、前記キャップ部の内部と外部とを貫通する外周側弁開口を有しており、前記ケースの内周側弁開口には、逆止弁が取り付けられており、前記逆止弁は、前記ケースの内部から前記ケースに接触して前記内周側弁開口を閉鎖する内部側弁体と、前記ケースの外部から前記ケースに接触して前記内周側弁開口の少なくとも一部を開放する外部側弁体とを有している。
【考案の効果】
【００１３】
本考案によれば、中空糸膜モジュール全体を製造し直すことなく、容器における開口部の種々異なる仕様に対応可能な中空糸膜モジュールを提供することができる。
【図面の簡単な説明】
【００１４】
【図１】本考案の実施の形態に係る中空糸膜モジュールの概略構成を示すための断面図である。
【図２】図１に示す中空糸膜モジュールにおけるＡ部の部分拡大断面図である。
【図３】本考案の実施の形態に係る中空糸膜モジュールが容器に取り付けられた使用状態を示すための断面図である。
【図４】本考案の実施の形態に係る中空糸膜モジュールの変形例を示すための断面図である。
【図５】従来の中空糸膜モジュールの概略構成を示すための断面図である。
【考案を実施するための形態】
【００１５】
以下、本考案の実施の形態について図面を参照しながら説明する。
【００１６】
図１は、本考案の実施の形態に係る中空糸膜モジュール１の概略構成を示すための断面図である。図２は、図１に示す中空糸膜モジュール１におけるＡ部の部分拡大断面図である。以下、説明の便宜上、軸線ｘにおいて矢印ａ方向を外側、矢印ｂ方向を内側とする。具体的には、外側とは、後述する容器９０に中空糸膜モジュール１が取り付けられた使用状態において、容器９０の外部の側であり、内側とは、容器の内部の側である。また、軸線ｘに垂直な方向（以下、単に「径方向」ともいう。）において、軸線ｘから遠ざかる方向を外周側とし（矢印ｃ方向）、軸線ｘに向かう方向を内周側とする（矢印ｄ方向）。
【００１７】
図１に示すように、本考案の実施の形態に係る中空糸膜モジュール１は、少なくとも１つの流入口１１及び少なくとも１つの流出口１２を有するケース１０と、ケース１０の内部に配設されており、両端（端部２１，２２）がケース１０の流出口１２を介してケース１０の外部に連通する複数の中空糸膜２０と、中空糸膜２０の両端（端部２１，２２）がケース１０の外部と連通するようにケース１０の流出口１２を封止する封止部３０と、液体を収容可能な後述する容器９０の開口部９１に取り付け可能な取付部４１を有し、ケース１０が着脱可能に挿入されるキャップ部４０とを備えている。
【００１８】
また、中空糸膜モジュール１において、図１及び図２に示すように、キャップ部４０とケース１０との間には軸線ｘ周りに環状のＯリング５０が嵌着されている。更に、図２に示すように、キャップ部４０とケース１０とには互いに係合する軸線ｘ周りに環状の係合部６０が形成されている。係合部６０は、キャップ部４０及びケース１０の一方に形成されてキャップ部４０及びケース１０の他方に向かって突出する突出部６１と、キャップ部４０及びケース１０の他方に形成されてキャップ部４０及びケース１０の一方から離れる方向に凹み、突出部６１を収容する収容部６２とを有している。本考案の実施の形態においては、図２に示すように、係合部６０の突出部６１は、キャップ部４０に形成されてケース１０に向かって突出しており、係合部６０の収容部６２は、ケース１０に形成されてキャップ部４０から離れる方向に凹んでいる。以下、中空糸膜モジュール１の構成を具体的に説明する。
【００１９】
ケース１０は、図１に示すように略筒状のケースであり、中空筒状の本体１３を備え、本体１３の外側（矢印ａ方向側）の端部分である外側端部１４に開口である流出口１２が形成されており、本体１３の内側（矢印ｂ方向側）の端部分である内側端部１５は閉鎖部１６によって閉鎖されている。ケース１０は、後述するキャップ部４０の取付部４１よりも、ケース１０の流出口１２から離れる方向（内側の位置）まで延びている。また、ケース１０の流入口１１は、後述するキャップ部４０の取付部４１よりも、ケース１０の流出口１２から離れる方向（内側の位置）に設けられている。流入口１１及び流出口１２は、ケース１０の内部と外部とを連通させる貫通孔であり、本実施の形態においては、ケース１０は、流入口１１を複数、流出口１２を１つ備える。ケース１０は、１つの流入口１１を備えるものであってもよく、また、複数の流出口１２を備えるものであってもよい。具体的には、図１に示すように、ケース１０は、閉鎖部１６に１つの流入口１１を有し、本体１３に複数の流入口１１を有している。
【００２０】
ケース１０は、図１に示すように、本体１３の外側端部１４において、本体１３の外周側（矢印ｃ方向）を向く面である外面１７から外周側に突出する部分である軸線ｘ周りに環状の鍔部１８を備える。また、ケース１０は、図２に示すように、ケース１０の外面１７において、内周側（矢印ｄ方向）に凹む軸線ｘ周りに環状の溝である溝部１９を備え、溝部１９は外周側に開放しており、溝部１９には、後述する軸線ｘ周りに環状のＯリング５０が収容される。
【００２１】
中空糸膜２０は、図１に示すように、湾曲されてケース１０の内部に配設されており、流入口１１を介してケース１０の内部に流入した水等の液体が接触し、この水等の液体が中空糸膜２０の内部を通過して、中空糸膜２０の両端（端部２１，２２）から外部へ流出するように構成されている。中空糸膜２０は、公知のように、ポリスルホン等の高分子材料から多孔質に形成されている。なお、中空糸膜２０は、複数が束ねられて中空糸膜束を形成してもよい。
【００２２】
封止部３０は、図１に示すように、ケース１０の流出口１２において、ケース１０の端部である外側端部１４と面一となるようにケース１０の内部に配設されている。封止部３０は、具体的には、ケース１０の外側端部１４の外側を向く面である外側端面１４ａと面一になるようにケース１０の内部に配設されている。封止部３０は、具体的には、中空糸膜２０の両端（端部２１，２２）近傍において中空糸膜２０の表面に液密に当接し、また、外側端部１４においてケース１０の内周側を向く面である内面１７ａと液密に当接し、ケース１０と中空糸膜２０との間を封止している。封止部３０は、例えば、ポリウレタンから形成されている。
【００２３】
キャップ部４０の取付部４１は、ケース１０の流入口１１よりも流出口１２側（外側）に設けられている。取付部４１は、ケース１０の本体１３の外面１７に外周側において対向して本体１３の外面１７の一部を軸線ｘ周りに環状に覆う部分であり、本体１３との間に軸線ｘ周りに環状の空間である空間４２を形成している。空間４２は、内側端部１５の方向（内側）に開放されている。また、取付部４１は、液体を収容可能な後述する容器９０の開口部９１と係合可能にする内側係合部４３を備えている。取付部４１の内側係合部４３は、例えば、空間４２に面する面である取付部内面４４に形成されたネジ山であり、後述する容器９０の開口部９１と螺合可能になっている。取付部４１の内側係合部４３は、ネジ山に限るものではなく、他の係合手段であってもよい。例えば、内側係合部４３は、後述する容器９０の開口部９１を嵌着可能にする、空間４２に面するように取付部内面４４に形成された筒状の弾性体からなる部分であってもよい。
【００２４】
キャップ部４０は、図１に示すように、略筒状のケースであり、取付部４１から連続して外側に延びる中空筒状の部分である筒部４５を備えている。筒部４５は、ケース１０の本体１３の外面１７に対向して内周側を向く軸線ｘ周りに環状の面である内面４５ａを備える。筒部４５は、内面４５ａにおいて、本体１３の外面１７の一部を外周側で覆い、ケース１０の溝部１９内に収容された後述するＯリング５０を所定の締め代で圧縮するように構成されている。また、キャップ部４０は、筒部４５の延び方向（軸線ｘ方向）において取付部４１の内側係合部４３よりも外側に、後述する中空糸膜モジュール１の使用状態において容器９０の蓋部９２と係合する外側係合部４６を備えている。外側係合部４６は、例えば、キャップ部４０の筒部４５の外周側に面する面である外面４７に形成されたネジ山であり、後述する容器９０の蓋部９２と螺合可能になっている。なお、外側係合部４６は、ネジ山に限るものではなく、他の係合手段であってもよい。
【００２５】
Ｏリング５０は、図１及び図２に示すように、断面円形の軸線ｘ周りに環状の無端部材であり、キャップ部４０の筒部４５の内面４５ａとケース１０の溝部１９の外周側に面する面である底面１９ａとに接触し所定の締め代で圧縮される。なお、Ｏリング５０は、溝部１９において互いに対向する面である一対の側壁面１９ｂ，１９ｃと接触し所定の締め代で圧縮されるように構成されていてもよい。
【００２６】
係合部６０は、図１及び図２に示すように、キャップ部４０の延び方向（軸線ｘ方向）においてキャップ部４０の取付部４１とＯリング５０との間に設けられており、Ｏリング５０は、係合部６０に対し、ケース１０の流出口１２の側（外側）に設けられている。具体的には、図１に示すように、中空糸膜モジュール１は、外側から内側に向かって順にＯリング５０（溝部１９）、係合部６０、取付部４１が配設されるように構成されている。中空糸膜モジュール１は、外側から内側に向かって順に係合部６０、Ｏリング５０（溝部１９）、取付部４１が配設されるように構成されていてもよい。
【００２７】
係合部６０の突出部６１は、キャップ部４０の内面４５ａから内周側に突出する部分であり、図２に示すように、断面三角形状に形成されている。具体的には、突出部６１は、キャップ部４０の内面４５ａから内周側に延びる内側に面する軸線ｘ周りに環状の面である内側平面６１ａと、内側平面６１ａの内周側の端縁から外側及び外周側に向かってキャップ部４０の内面４５ａまで延びる軸線ｘ周りに環状の面である傾斜面６１ｂとを備えている。なお、突出部６１の形状はこれに限られるものではなく、収容部６２内に着脱可能に収容される形状であればよく、例えば、断面台形状であってもよい。
【００２８】
係合部６０の収容部６２は、ケース１０の外面１７において、溝部１９よりも内側に位置して外面１７から外周側に突出する軸線ｘ周りに環状の部分である外側突出部６２ａと、外側突出部６２ａよりも内側に位置して外面１７から外周側に突出する軸線ｘ周りに環状の部分である内側突出部６２ｂとの間に形成されている。内側突出部６２ｂは、外周側に凸に湾曲した凸面状に形成されている。内側突出部６２ｂの形状はこれに限られるものではなく、係合部６０の突出部６１を着脱可能にする形状であればよく、例えば断面台形状であってもよい。なお、係合部６０の収容部６２は、ケース１０の外面１７から内周側に凹む軸線ｘ周りに環状の溝であってもよい。
【００２９】
以上のように構成される中空糸膜モジュール１において、ケース１０は、ケース１０の外面１７がキャップ部４０の内面４５ａと対向するように、ケース１０の内側端部１５の側からキャップ部４０に挿入される。ケース１０は、ケース１０の鍔部１８の内側に面する面である内側端面１８ａがキャップ部４０の筒部４５の外側に面する面である外側端面４５ｂに当接するまで、キャップ部４０に挿入される。このようにして、Ｏリング５０はキャップ部４０の筒部４５の内面４５ａとケース１０の溝部１９の底面１９ａと接触し、係合部６０の突出部６１は収容部６２内に収容され、中空糸膜モジュール１のケース１０とキャップ部４０との組立が完了する。
【００３０】
次いで、上述の構成を有する中空糸膜モジュール１の使用状態及びその作用について説明する。図３は、本考案の実施の形態に係る中空糸膜モジュール１が容器９０に取り付けられた使用状態を示すための断面図である。
【００３１】
上述のように、中空糸膜モジュール１は、飲み口として、水等の液体を内部に収容する容器９０の開口部９１に係合されて、容器９０内の液体の浄化装置として機能する。容器９０の開口部９１は略筒状に形成されており、開口部９１には、中空糸膜モジュール１の取付部４１の内側係合部４３と螺合可能な内側被係合部９３が形成されている。例えば内側係合部４３が雄ネジとして形成されている場合、内側被係合部９３は、内側係合部４３の雄ネジ山と螺合する雌ネジとして形成されている。
【００３２】
容器９０の蓋部９２は、略筒状に形成された部分である筒部９７を有しており、筒部９７の内周側を向く面である内面９７ａには、中空糸膜モジュール１の外側係合部４６と螺合可能な外側被係合部９４が形成されている。例えば、外側係合部４６が雄ネジとして形成されている場合、外側被係合部９４は、外側係合部４６の雄ネジ山と螺合する雌ネジとして形成されている。蓋部９２の筒部９７は、蓋部９２を中空糸膜モジュール１に取り付けた状態において、中空糸膜モジュール１のキャップ部４０の外面４７を外周側から覆う部分である。蓋部９２は、筒部９７の外側の端部分である外側端部９８において、筒部９７の内面９７ａから内周側に延びる軸線ｘ周りに環状の中空の板状部分である当接部９６を有している。当接部９６は、蓋部９２が中空糸膜モジュール１に取り付けられた状態において、当接部９６の内周側の端部分である内周側端部９６ａが中空糸膜２０の両端（端部２１，２２）を塞がず且つ封止部３０に当接するように構成されている。当接部９６は、軸線ｘ周りに円環状に形成されていてもよいし、円環状に形成されていなくてもよい。
【００３３】
図３に示すように、中空糸膜モジュール１は、容器９０に取り付けられた使用状態において、ケース１０の本体１３が部分的に容器９０の内部に入り込み、ケース１０の流入口１１が容器９０の内部に露出され、ケース１０の内部が流入口１１を介して容器９０の内部と連通される。また、中空糸膜モジュール１は、蓋部９２の飲み口９５を介して、外部と連通される。これにより、中空糸膜２０が、流入口１１を介して、容器９０の内部に収容された水等の液体に曝露可能になっている。中空糸膜モジュール１が取り付けられた容器９０が例えば使用者に押圧されるか、または、蓋部９２の飲み口９５を介して容器９０内の水が例えば使用者に吸引されると、ケース１０の流入口１１を介して水が中空糸膜２０の内部を通過して、中空糸膜２０の両端（端部２１，２２）から外部に流出する。このように、容器９０内の水が中空糸膜２０を通過して浄化（ろ過）されて外部に導き出され、浄化された水を得ることができる。また、中空糸膜モジュール１を介して浄化された水を飲むことができる。
【００３４】
上述のように、本考案の実施の形態に係る中空糸膜モジュール１によれば、ケース１０とキャップ部４０とを別体にし、ケース１０はキャップ部４０に対し着脱可能である。このため、中空糸膜モジュール１が開口部９１の仕様が異なる容器９０に使用される場合、中空糸膜モジュール１全体を製造し直す必要はなく、キャップ部４０だけを開口部９１の仕様に応じた形態に変更することができる。このように、中空糸膜モジュール１全体を製造し直すことなく、中空糸膜モジュール１が取り付けられる容器９０における開口部９１の種々異なる仕様に対応可能とすることができる。また、容器９０が使用される国や容器９０の製造元ごとに異なる仕様の中空糸膜モジュール１を製造する必要はなく、容器９０の開口部９１の仕様に応じたキャップ部４０を製造することで足りるため、金型等の設備への投資を抑制することができ、製造に関する工期を短縮することができ、更に、キャップ部４０を種々異なる着色デザインとすることができる。
【００３５】
このように、本考案の実施の形態に係る中空糸膜モジュール１によれば、中空糸膜モジュール１全体を製造し直すことなく、容器９０における開口部９１の種々異なる仕様に対応可能な中空糸膜モジュール１を提供することができる。
【００３６】
また、Ｏリング５０は、キャップ部４０の筒部４５の内面４５ａとケース１０の溝部１９の底面１９ａとに接触し所定の締め代で圧縮されるので、ケース１０とキャップ部４０とを別体にした場合であっても、容器９０内に収容された水等の液体の外部への漏洩を防止することができる。
【００３７】
また、係合部６０の突出部６１は、係合部６０の収容部６２に収容されているので、キャップ部４０が所定の大きさよりも小さな力でケース１０から脱落する意図しない脱落を防止できる。具体的には、中空糸膜モジュール１において、係合部６０の突出部６１は、内側平面６１ａにおいて内側突出部６２ｂと接触し、突出部６１が内側突出部６２ｂに引っ掛かるため、ケース１０からのキャップ部４０の意図しない脱落をより確実に防止することができる。他方、内側突出部６２ｂは、外周側に湾曲した凸面状に形成されているので、使用者がキャップ部４０に対して内側に向かう力を加えることで、容易にキャップ部４０をケース１０から取り外すことができる。また、係合部６０の突出部６１に傾斜面６１ｂが形成されているため、ケース１０をキャップ部４０により少ない力で挿入することができる。
【００３８】
また、係合部６０は、キャップ部４０の取付部４１とＯリング５０との間に設けられており、Ｏリング５０は、係合部６０に対し、ケース１０の流出口１２の側（外側）に設けられているので、ケース１０をキャップ部４０に挿入する際に、係合部６０の突出部６１でＯリング５０が傷つけられることを回避するこができる。このため、Ｏリング５０による密封性能の低下を回避することができる。
【００３９】
また、蓋部９２が中空糸膜モジュール１に取り付けられた状態において、蓋部９２における当接部９６の内周側端部９６ａが中空糸膜２０の両端（端部２１，２２）を塞がず且つ封止部３０に当接しているので、ケース１０に蓋部９２を取り付けた状態で、封止部３０は当接部９６で押さえられた状態となる。このため、中空糸膜モジュール１に強い衝撃が加えられた場合でも、ケース１０と中空糸膜２０との間の封止部３０による封止が損なわれることを回避することができる。
【００４０】
また、中空糸膜モジュール１は、容器９０に取り付けられた使用状態において、ケース１０の本体１３が部分的に容器９０の内部に入り込むように構成されている。このため、容器９０の外部に位置する中空糸膜モジュール１の部分を少なくすることができ、中空糸膜モジュール１が容器９０に取り付けられた使用状態における全体の寸法をコンパクトにすることができる。
【００４１】
次いで、本考案の実施の形態の変形例について説明する。図４は、本考案の実施の形態に係る中空糸膜モジュール１の変形例（中空糸膜モジュール２）を示すための断面図である。中空糸膜モジュール２は、上述の中空糸膜モジュール１に対して、ケース１０及びキャップ部４０の構成、及び、後述する逆止弁７０が設けられている点で異なる。以下、上述の中空糸膜モジュール１と同じ又は類似する機能を有する構成については、中空糸膜モジュール１と同一の符号を付してその説明を省略し、異なる部分について説明する。
【００４２】
ケース８０は、図４に示すように、Ｏリング５０よりもケース８０の流出口１２の側（外側）に設けられた、ケース８０の内部と外部とを貫通する開口である内周側弁開口８１を有しており、キャップ部８２は、内周側弁開口８１と連通し、キャップ部８２の内部と外部とを貫通する開口である外周側弁開口８３を有しており、ケース８０の内周側弁開口８１には、逆止弁７０が取り付けられている。逆止弁７０は、ケース８０の内部（内周側）からケース８０に接触して内周側弁開口８１を閉鎖する内部側弁体７１と、ケース８０の外部（外周側）からケース８０に接触して内周側弁開口８１の少なくとも一部を開放する外部側弁体７２とを有している。
【００４３】
逆止弁７０の外部側弁体７２は、図４に示すように、外部側弁体７２の外縁を部分的に切除する切欠き７３を備えている。切欠き７３は、外部側弁体７２がケース８０に接触した状態において、内周側弁開口８１と重なるように外縁からの延びが設定されている。
【００４４】
逆止弁７０は、ケース８０の内部の圧力変化に応じて径方向に移動し、内周側弁開口８１を閉鎖又は開放するものである。具体的には、ケース８０の内部の外側端部１４の側に水が進入し、逆止弁７０の内部側弁体７１が水に接触し水圧を受けると、内部側弁体７１がケース８０に液密に当接し、内周側弁開口８１がケース８０の内周側から閉鎖される。他方、ペットボトル等の容器（図示せず）の押圧又は吸引が終わると、ペットボトルの内部には負圧が発生する。ペットボトルの内部に負圧が発生すると、逆止弁７０の外部側弁体７２に大気圧が掛かり、逆止弁７０が大気圧により押圧されて外部側弁体７２がケース８０に当接する。これにより、外部側弁体７２の切欠き７３が内周側弁開口８１と部分的に重なり合い、内周側弁開口８１にケース８０の内部と外部とを連通する通路が形成される。このようにして、大気が外周側弁開口８３及び内周側弁開口８１を介してケース８０の内部に導かれ、ペットボトル内の負圧は消滅又は減少し、再度、ペットボトルを押圧又は吸引することが可能になる。
【００４５】
このように、本考案の実施の形態の変形例に係る中空糸膜モジュール２によれば、ペットボトル内の水を導出した際に発生する負圧を逆止弁７０によって解消又は減少することができ、何度でもペットボトルの押圧又は吸引を繰り返すことができる。つまり、ペットボトル内の水が無くなるまでペットボトルの押圧又は吸引、及びこれの解消又は減少を繰り返すことができ、ペットボトル内の水を最後まで浄化することができる。
【００４６】
以上、本考案の実施の形態に係る中空糸膜モジュール１，２について説明したが、本考案に係る中空糸膜モジュール密封構造は上述の中空糸膜モジュール１，２に限定されるものではなく、本考案の概念及び実用新案登録請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本考案の具体的使用態様に応じて適宜変更され得る。
【符号の説明】
【００４７】
１，１００…中空糸膜モジュール、１０，８０，１２２…ケース、１１…流入口、１２…流出口、１３…本体、１４，９８…外側端部、１４ａ、４５ｂ…外側端面、１５…内側端部、１６…閉鎖部、１７，４７…外面、１７ａ，４５ａ，９７ａ…内面、１８…鍔部、１８ａ…内側端面、１９…溝部、１９ａ…底面、１９ｂ，１９ｃ…一対の側壁面、２０，１２１…中空糸膜、２１，２２…端部、３０…封止部、４０，８２，１１０…キャップ部、４１…取付部、４２…空間、４３…内側係合部、４４…取付部内面、４５，９７…筒部、４６…外側係合部、５０…Ｏリング、６０…係合部、６１…突出部、６１ａ…内側平面、６１ｂ…傾斜面、６２…収容部、６２ａ…外側突出部、６２ｂ…内側突出部、７０…逆止弁、７１…内部側弁体、７２…外部側弁体、７３…切欠き、８１…内周側弁開口、８３…外周側弁開口、９０…容器、９１…開口部、９２，１３０…蓋部、９３…内側被係合部、９４…外側被係合部、９５…飲み口、９６…当接部、９６ａ…内周側端部、１１１…ねじ山、１２０…モジュール部、１２３…流入部、１３１…流出口、ｘ…軸線、ａ…外側、ｂ…内側、ｃ…外周側、ｄ…内周側
【図１】
0003221241.tif 000003
【図２】
0003221241.tif 000004
【図３】
0003221241.tif 000005
【図４】
0003221241.tif 000006
【図５】
0003221241.tif 000007